(57)【要約】【課題】足場板に何の加工も施すことなく、足場への取付け構造が簡単で、部品点数が少なく、足場への取付けも容易に行なえる足場用巾木の取付け具を提供する。【解決手段】仮設足場の建枠１０２の横材１０６上で足場板１１０の側端縁側の開放部に沿って、足場用巾木１１６を起立状態で取付けるための足場用巾木の取付け具１０であって、支柱１０４が挿入されて支柱１０４を挟持する凹所１４を有し、支柱１０４の軸方向へ変位可能に挟持される支柱挟持部１２と、支柱挟持部１２の凹所１４に挿入された支柱１０４に支柱挟持部１２を保持させる保持手段（ナット部材２２，ボルト部材２４等）と、支柱挟持部１２の凹所１４と反対側に配設され、足場用巾木１１６の上端部を足場用巾木１１６の上面側から把持して、足場用巾木１１６を建枠１０２の横材１０６上に起立状態に支持する巾木把持部２６を含むことを特徴とする。【選択図】図５
2010275809.tif 000002
【特許請求の範囲】
【請求項１】
所定の間隔を隔てて配置される一対の支柱および前記支柱間に架設される横材を備えた複数の建枠と、前記建枠の隣り合う横材間に足場板が架設される仮設足場において、前記建枠の前記横材上で前記足場板の側端縁側の開放部に沿って、前記足場板の建物側および前記建物と反対側の位置に足場用巾木が起立状態で配置されるように、前記足場用巾木を取付けるための足場用巾木の取付け具であって、
前記足場用巾木の取付け具は、
前記支柱が挿入されて前記支柱を挟持する凹所を有し、前記支柱の軸方向へ変位可能に挟持される支柱挟持部、
前記支柱挟持部の前記凹所に挿入された前記支柱に前記支柱挟持部を保持させる保持手段、および、
前記支柱挟持部の前記凹所と反対側に配設され、前記足場用巾木の上端部を前記足場用巾木の上面側から把持して、前記足場用巾木を前記建枠の前記横材上に起立状態に支持する巾木把持部を含むことを特徴とする、足場用巾木の取付け具。
【請求項２】
前記支柱挟持部は、
基部材、および、
前記基部材の一端および他端に配設され、互いに対向する一対の挟持部材を含み、
前記巾木把持部は、
前記支柱挟持部の前記基部材および前記一対の挟持部材のいずれか１つの部材の端部に接続され、前記支柱の軸方向に直交する方向で、且つ、前記仮設足場の平面から見て、前記建枠の前記横材と平行となる方向に延び設けられるとともに、前記足場用巾木の上端面に当接可能となる当接部材、および
前記当接部材の端部から下方に延び設けられ、前記足場用巾木の上端側内面に当接可能となって、前記足場板の建物側への前記足場用巾木の転倒を阻止する転倒阻止部材を含み、
前記支柱挟持部の前記基部材および前記一対の挟持部材のいずれか１つの部材と、前記当接部材と、転倒阻止部材とで囲繞された部位により、前記足場用巾木の上端部を支持することを特徴とする、請求項１に記載の足場用巾木の取付け具。
【請求項３】
前記保持手段は、
前記支柱挟持部の前記基部材および前記一対の挟持部材のいずれか１つの部材に設けられる貫通孔、
前記貫通孔と連通可能なネジ孔を備え、前記貫通孔が設けられた前記１つの部材の外面に固着されるナット部材、および
前記ナット部材のネジ孔に螺合され、前記貫通孔に挿入されることにより、前記支柱を押圧するボルト部材を含むことを特徴とする、請求項１または請求項２に記載の足場用巾木の取付け具。
【発明の詳細な説明】
【技術分野】
【０００１】
本願発明は、足場用巾木の取付け具に関し、建築現場、土木工事場に仮設されるわく組足場等の仮設作業足場で用いられ、特に、建枠の横材の上部で建物および当該建物と反対側の位置に足場用巾木を起立した状態に配置されるように取付けるための足場用巾木の取付け具に関する。
【背景技術】
【０００２】
従来、足場用巾木を足場に組み付ける場合、当該巾木を隣り合う建枠の横さんの上に載置するようにし、足場板の側端縁側の所定位置に配置した状態で、巾木を建枠の支柱に番線等を用いて縛り付けて固定するのが一般的なものであった。
ところが、巾木を番線により縛り付けて固定する場合、番線を巾木および建枠の支柱に何重にも巻き付けるという手間の掛かる面倒な手作業が必要となっていた。また、足場を解体するにあたり、巾木を取り外す場合には、何重にも巻回された番線を１つ１つ取り外していく必要があるため、巾木の取外し作業においても手間の掛かるものであった。さらに、一旦、使用した番線は、その都度廃棄されるため、当該番線を他の仮設足場で再利用することができず、番線に掛かる経費もばかにならないものとなり、延いては、足場組立てコストに影響を及ぼすものであった。
【０００３】
そこで、このような問題点を解決するために、巾木を足場板上に起立状態に取付けるための種々の足場用巾木の取付け構造が提案されている（例えば、特許文献１および特許文献２参照）。
すなわち、特許文献１には、幅木本体の両端部に、この幅木本体の下部から一面側に突出し、幅木本体を起立状態で足場板上に載せ置くための載置板と、幅木本体が足場板上に起立する状態で足場板の下面側に係脱自在となり、当該幅木本体を足場板に直接固定する取り付け金具を設けた構成を採用した足場用幅木が記載されている。
【０００４】
また、特許文献２には、幅木本体と、幅木本体の下部に設けられた取付部材を備え、枠体と天板を有する足場板に幅木本体が起立状態となるように取り付けられる足場用幅木が記載されている。この場合、足場用幅木では、当該足場用幅木を足場板上に起立させるとともに、係合部材を足場板の側部下方に位置させ、レバーを回転させることにより足場板の下面を偏心カムで圧接して付勢部材の撥力に抗して足場用幅木が足場板上に固定されるものとなっている。
【先行技術文献】
【特許文献】
【０００５】
【特許文献１】特開２００５−１３９６６３号公報
【特許文献２】特開２００８−１６９５５７号公報
【発明の概要】
【発明が解決しようとする課題】
【０００６】
しかしながら、上記した従来技術では、足場板用幅木を足場板に取り付けるにあたって、足場板の幅木の取付け部位に取付け孔等を開けるなど足場板側に何らかの加工を施す必要があるため、在来の足場板をそのまま使用できないものであった。さらに、足場板用幅木の取付け構造が複雑で、部品点数も多く、製造コストが高くつく上、取付け作業についても手間が掛かるという難点があった。
【０００７】
それゆえに、本願発明の主たる目的は、足場板に何の加工も施すことなく、足場への取付け構造が簡単で、部品点数が少なく、足場への取付けおよび取外しが容易に行なえる足場用巾木の取付け具を提供する。
【課題を解決するための手段】
【０００８】
請求項１にかかる本願発明は、所定の間隔を隔てて配置される一対の支柱および支柱間に架設される横材を備えた複数の建枠と、建枠の隣り合う横材間に足場板が架設される仮設足場において、建枠の横材上で足場板の側端縁側の開放部に沿って、足場板の建物側および建物と反対側の位置に足場用巾木が起立状態で配置されるように、足場用巾木を取付けるための足場用巾木の取付け具であって、足場用巾木の取付け具は、支柱が挿入されて支柱を挟持する凹所を有し、支柱の軸方向へ変位可能に挟持される支柱挟持部と、支柱挟持部の凹所に挿入された支柱に支柱挟持部を保持させる保持手段と、支柱挟持部の凹所と反対側に配設され、足場用巾木の上端部を足場用巾木の上面側から把持して、足場用巾木を建枠の横材上に起立状態に支持する巾木把持部とを含むことを特徴とする、足場用巾木の取付け具である。
請求項１にかかる発明では、上記した構成により、支柱挟持部の凹所に支柱を挿入して嵌め込むことが可能となる。さらに、支柱挟持部は、支柱の軸方向に沿って上下動可能となる。支柱挟持部は、足場用巾木の上端部が巾木把持部に嵌め込まれる位置まで、足場用巾木の高さに合わせて支柱の軸方向に移動される。そして、支柱挟持部は、保持手段によって、支柱の軸方向の所定の位置に保持される。このとき、支柱の軸方向における支柱挟持部の取付け位置が位置決めされる。そして、巾木把持部には、足場用巾木の上端部が嵌め込まれ、当該上端部が足場用巾木の上面側から巾木把持部によって把持される。そのため、足場用巾木は、建枠の横材上に起立状態に支持される。
請求項１にかかる本願発明では、設置する足場用巾木の高さに応じて、支柱挟持部を支柱の軸方向の所定の位置に移動させて支柱挟持部の支柱における位置決めを行い、それと同時に、巾木把持部で足場用巾木の上端部を把持することによって、容易に、足場用巾木が建枠の横材上に起立状態に支持される。
したがって、請求項１にかかる本願発明では、足場用巾木を足場に取付ける場合に、従来のように、番線を何重にも巻き付ける面倒な作業を必要とせず、また、支柱への取付け構造も複雑なものではないため、足場への足場用巾木の取付けおよび取外しが簡便なものとなり、延いては、足場の組立てコストも従来よりも低く抑えることができる。さらに、この足場用巾木の取付け具は、部品点数も少ないため、従来技術のように部品点数が多いものに比べて、当該取付け具の製造コストも安くなる。
すなわち、請求項１にかかる本願発明によれば、足場板に何の加工も施すことなく、足場への取付け構造が簡単で、部品点数が少なく、足場への取付けおよび取外しが容易に行なえる足場用巾木の取付け具を提供することができる。
請求項２にかかる本願発明は、請求項１にかかる発明に従属する発明であって、支柱挟持部は、基部材と、基部材の一端および他端に配設され、互いに対向する一対の挟持部材とを含み、巾木把持部は、支柱挟持部の基部材および一対の挟持部材のいずれか１つの部材の端部に接続され、支柱の軸方向に直交する方向で、且つ、仮設足場の平面から見て、建枠の横材と平行となる方向に延び設けられるとともに、足場用巾木の上端面に当接可能となる当接部材と、当接部材の端部から下方に延び設けられ、足場用巾木の上端側内面に当接可能となって、足場板の建物側への足場用巾木の転倒を阻止する転倒阻止部材とを含み、支柱挟持部の基部材および一対の挟持部材のいずれか１つの部材と、当接部材と、転倒阻止部材とで囲繞された部位により、足場用巾木の上端部を支持することを特徴とする、足場用巾木の取付け具である。
請求項２にかかる本願発明では、上記した構成により、特に、基部材と一対の挟持部材とで囲まれた支柱挟持部の凹所に支柱を挿入して嵌め込むことが可能となる。支柱挟持部は、支柱の軸方向に沿って上下動可能となり、足場用巾木の上端部が巾木把持部の当接部材に当接する位置まで、足場用巾木の高さに合わせて支柱の軸方向に移動される。そして、支柱挟持部は、保持手段によって、支柱の軸方向の所定の位置に保持される。このとき、巾木把持部の当接部材が足場用巾木の上端部に当接することによって、支柱の軸方向における支柱挟持部の取付け位置が位置決めされる。そして、巾木把持部の当接部材および転倒阻止部材と、支柱挟持部の基部材および一対の挟持部材のいずれか１つの部材とで囲繞された部位に、足場用巾木の上端部が嵌め込まれ、当該上端部が足場用巾木の上面側から巾木把持部によって把持される。そのため、足場用巾木は、建枠の横材上に起立状態に支持される。
請求項３にかかる本願発明は、請求項１または請求項２にかかる発明に従属する発明であって、保持手段は、支柱挟持部の基部材および一対の挟持部材のいずれか１つの部材に設けられる貫通孔と、貫通孔と連通可能なネジ孔を備え、貫通孔が設けられた１つの部材の外面に固着されるナット部材と、ナット部材のネジ孔に螺合され、貫通孔に挿入されることにより、支柱を押圧するボルト部材を含むことを特徴とする、足場用巾木の取付け具である。
請求項３にかかる本願発明では、上記した構成により、ナット部材のネジ孔にボルト部材のネジ部を螺合することによって、ボルト部材の先端部が支柱挟持部に挿入された支柱に押圧可能に当接されるため、支柱挟持部が支柱に保持・固定される。この場合、ボルト部材の先端部と、当該先端部が当接される支柱の外面との間の距離に応じて、あるいは、ボルト部材の先端部で当該支柱の外面を押圧する押圧強度に応じて、つまり、締結強度に応じて、ボルト部材とネジ孔との螺合長さが適宜調節され得る。
【発明の効果】
【０００９】
本願発明によれば、足場板に何の加工も施すことなく、足場への取付け構造が簡単で、部品点数が少なく、足場への取付けおよび取外しが容易に行なえる足場用巾木の取付け具が得られる。
【００１０】
本願発明の上述の目的、その他の目的、特徴および利点は、図面を参照して行う以下の発明を実施するための形態の説明から一層明らかとなろう。
【図面の簡単な説明】
【００１１】
【図１】本願発明にかかる足場用巾木の取付け具により、足場用巾木が取付けられたわく組足場の一例を示す概略正面図である。
【図２】図１に示すわく組足場に用いられる足場用取付け具の一例を示す斜視図であって、（Ａ）はその要部を示す斜視図であり、（Ｂ）は他の要部を示す斜視図である。
【図３】図２に示す足場用取付け具の製造方法の一例を示す工程図である。
【図４】図２に示す足場用取付け具によって、足場用巾木をわく組足場に取付ける取付け方法の一例を示す要部斜視図である。
【図５】図２に示す足場用取付け具によって、足場用巾木をわく組足場に取付ける取付け方法の一例を示す他の要部斜視図である。
【図６】図５を平面側から見た一部切欠き要部図解図である。
【図７】図２に示す足場用取付け具によって、足場用巾木をわく組足場に取付けた状態を平面側から見た一部切欠き要部図解図である。
【図８】図７を左側面側から見た要部を示す左側面図である。
【図９】本願発明にかかる足場用巾木の取付け具の他の実施形態例を示す図解図であり、当該足場用取付け具によって、足場用巾木をわく組足場に取付けた状態を平面側から見た一部切欠き要部図解図である。
【発明を実施するための形態】
【００１２】
先ず、本願発明にかかる足場用巾木の取付け具１０が適用される仮設足場の一例について説明する。図１は、本願発明にかかる足場用巾木の取付け具により、足場用巾木が取付けられた仮設足場としてのたとえばわく組足場の一例を示す概略正面図である。
わく組足場１００は、所定の間隔を隔てて対向配置される複数の建枠１０２を含む。複数の建枠１０２は、図１に見て、その左右方向に対向配置されている。建枠１０２は、左右一対のパイプ状の支柱１０４と、左右一対の支柱１０４の高さ方向の上端部間に架設される横材１０６（図１では図示していないので、たとえば図４，図５および図８参照。）を含む。この実施形態例では、建枠１０２の一例として、たとえば鳥居型の建枠が用いられている。
【００１３】
複数の建枠１０２間の隣り合う支柱１０４間には、図１に示すように、交さ筋かい１０８が取り付けられている。交さ筋かい１０８は、一対の斜材１０８ａで対角線状に形成され、隣り合う建枠１０２の支柱１０４間に取り付けられている。そして、隣り合う複数の建枠１０２の対向する横材１０６間には、作業床としての足場板１１０が架設されている。さらに、複数の建枠１０２間の隣り合う支柱１０４間には、水平横架材としてのたとえば手すり１１２が架設されている。手すり１１２は、足場板１１０の上面からたとえば８５ｃｍの高さの位置に設置されている。この手すり１１２は、高さ８５ｃｍ以上に設置されてもよい。
【００１４】
また、複数の建枠１０２間の隣り合う支柱１０４間には、水平横架材として、さん１１４が架設されている。さん１１４は、足場板１１０の上面からたとえば４０ｃｍの高さの位置に設置されている。当該さん１１４は、高さ３５ｃｍ以上５０ｃｍ以下に設置されてもよい。
さらに、複数の建枠１０２間の隣り合う支柱１０４間において、建枠１０２の横材１０６の上には、たとえば図４，図５および図８に示すように、当該足場板１１０の幅方向の両側で且つその長手方向の延びるように、足場用巾木１１６が配置されている。この場合、建枠１０２の横材１０６上で足場板１１０の側端縁側の開放部１１８に沿って、足場用巾木１１６が配置されている。
【００１５】
足場用巾木１１６は、足場用巾木の取付け具１０によって、建枠１０２の横材１０６の上部で建物（図示せず）および当該建物（図示せず）と反対側の位置に、足場用巾木１１６が起立した状態で配置されるように取付けられている。この足場用巾木１１６は、その幅方向の長さがたとえば２０ｃｍに形成され、その厚さがたとえば３２ｍｍに形成されている。この足場用巾木１１６は、足場板１１０の上面から足場用巾木１１６の上端までの高さがたとえば１５ｃｍ以上になるように、その幅方向の長さが設定される。
【００１６】
隣り合う建枠１０２の対向する横材１０６間に足場板１１０を架設しながら、建枠１０２を上方に接いでいくことによって、順次、多段状のわく組足場１００が組み立てられる。なお、最下段に配置される隣り合う複数の建枠１０２間には、図１に示すように、足場板１０８，手すり１１２，さん１１４および足場用巾木１１６は設置されていない。
【００１７】
次に、上記したわく組足場に適用される足場用巾木の取付け具１０について、たとえば図２〜図８を参照しながら、以下に説明する。図２は、図１に示すわく組足場１００に用いられる足場用巾木の取付け具１０の一例を示す斜視図であって、（Ａ）はその要部を示す斜視図であり、（Ｂ）は他の要部を示す斜視図である。
【００１８】
この足場用巾木の取付け具１０（以下、「取付け具１０」という。）は、支柱挟持部１２を含む。支柱挟持部１２は、上記した支柱１０４が挿入されて支柱１０４を挟持する凹所１４を有する。支柱挟持部１２は、たとえば図４および図５に示すように、支柱１０４の軸方向へ変位可能に形成されている。支柱挟持部１２は、図２の（Ａ），（Ｂ）に示すように、たとえば矩形状の基部材１６を含む。基部材１６の長手方向の一端および他端には、互いに対向する一対の挟持部材１８ａ，１８ｂが配設されている。一対の挟持部材１８ａ，１８ｂは、それぞれ、たとえば矩形状に形成されている。
【００１９】
この実施形態例では、支柱挟持部１２は、基部材１６および一対の挟持部材１８ａ，１８ｂによって、断面形状がたとえば「コ」字状に形成されている。そして、基部材１６および一対の挟持部材１８ａ，１８ｂにより囲まれた内面側の開放部位が、凹所１４として構成され、当該凹所１４の内側に支柱１０４が挿入され嵌め込み可能となる。基部材１６および一対の挟持部材１８ａ，１８ｂは、たとえば金属材料で形成されている。
【００２０】
また、取付け具１０は、支柱挟持部１２の凹所１４に挿入された支柱１０４に対して、当該支柱挟持部１２を保持させる保持手段を含む。保持手段は、たとえば図２の（Ａ），（Ｂ）に示すように、ナット部材２２および当該ナット部材２２に締結されるボルト部材２４を含む。すなわち、一対の挟持部材１８ａ，１８ｂの内、一方の挟持部材１８ａは、特に、たとえば図２の（Ｂ）および図６に示すように、その一方主面（外面）から他方主面（内面）に貫通する貫通孔２０を備えている。さらに、この挟持部材１８ａの一方主面（外面）には、図２の（Ａ）に示すように、ナット部材２２が溶接等の固着手段により固着されている。ナット部材２２は、その内周面にネジ孔２２ａを有し、当該ネジ孔２２ａが上記した貫通孔２０と連通されるように、挟持部材１８ａの一方主面（外面）に固着されている。一方、ボルト部材２４は、その軸部の周面にネジ部２４ａを有し、当該ネジ部２４ａがナット部材２２のネジ孔に螺合される。
【００２１】
本実施形態例では、一方の挟持部材１８ａに配設された貫通孔２０と、ネジ孔２２ａを有するナット部材２２と、当該ネジ孔２２ａと螺合可能となるネジ部２４ａを有するボルト部材２４によって、保持手段が構成されている。この場合、支柱挟持部１２の凹所１４に挿入された支柱１０４は、たとえば図６および図７に示すように、ボルト部材２４がナット部材２２のネジ孔２２ａに螺合され、引き続き、挟持部材１８ａの貫通孔２０に挿入されることにより、支柱１０４がボルト部材２４の先端部で押圧される。それにより、支柱挟持部１２は、支柱１０４に保持・固定される。
【００２２】
さらに、取付け具１０は、たとえば図５および図８に示すように、上記した支柱挟持部１２との協働作用により、足場用巾木１１６の上端部を足場用巾木１１６の上面側から把持する巾木把持部２６を含む。巾木把持部２６は、足場用巾木１１６を建枠１０２の横材１０６上に起立状態に支持するものであり、特に、図２の（Ａ），（Ｂ）に示すように、たとえば矩形状の当接部材２８を含む。当接部材２８は、たとえば図４および図５に示すように、支柱１０４の軸方向に直交する方向で、且つ、図１に示すわく組足場１００の平面から見て、建枠１０２の横材１０６と平行となる方向に延び設けられている。
この場合、当接部材２８は、支柱挟持部１２の基部材１６の幅方向の上端部に、当接部材２８の長手方向の一端側下面が接続される。当接部材２８の長手方向の一端側下面は、溶接等の固着手段により、基部材１６の幅方向の上端部に固着される。
【００２３】
さらに、当接部材２８の長手方向の他端部には、図２の（Ａ），（Ｂ）に示すように、当該他端部から下方に延び設けられる転倒阻止部材３０が接続される。転倒阻止部材３０は、たとえば矩形状に形成され、その長さ方向の一端部が上記した当接部材２８の長手方向の他端部に連接されている。
本実施形態例では、当接部材２８および転倒阻止部材３０によって、断面形状がたとえばＬ字状に形成され、たとえば図４，図５および図８に示すように、当接部材２８および転倒阻止部材３０で囲繞された部位により把持される。この場合、当接部材２８が足場用巾木１１６の上端面に当接可能となり、転倒阻止部材３０が足場用巾木１１６の上端側内面に当接可能となって、足場用巾木１１６の上端部が当該囲繞部位で把持されるものとなっている。
【００２４】
本実施形態例では、たとえば図３（Ａ）〜（Ｅ）に示すように、等辺山形鋼および不等辺山形鋼等の、所謂、山形鋼および／または当該山形鋼の廃材（以下、「ワーク」という。）を適宜組み合わせることによって、支柱挟持部１２および巾木把持部２６が製作される。すなわち、支柱挟持部１２は、その凹所１４に挿入される支柱１０４の直径に応じて、少なくとも当該直径よりも大きい間隔を有するように、図３（Ａ），（Ｂ）に示すように、当該支柱挟持部１２の基部材１６が上記したワークが適宜切断された後、溶接等の固着手段によって固着されることによって一体的に製作される。このようにして製作された支柱挟持部１２の基部材１６の端部に、巾木把持部２６の当接部材２８の端部が溶接等の固着手段によって固着される。それから、支柱挟持部１２の一方の挟持部材１８ａの外面にナット部材２２（図３では図示せず）が溶接等の固着手段により固着される。
【００２５】
上述した本実施形態例にかかる取付け具１０では、たとえば図４，図５および図８に示すように、支柱挟持部１２の基部材１６と一対の挟持部材１８ａ，１８ｂとで囲まれた支柱挟持部１２の凹所１４に支柱１０４を挿入して嵌め込むことができる。支柱挟持部１２は、支柱１０４の軸方向に沿って上下動自在となり、足場用巾木１１６の上端部が巾木把持部２６の当接部材２８に当接する位置まで、足場用巾木１１６の高さに合わせて支柱１０４の軸方向に移動される。
【００２６】
支柱挟持部１２は、保持手段のナット部材２２およびボルト部材２４で支柱１０４の軸方向の所定の位置に保持される。このとき、巾木把持部２６の当接部材２８が足場用巾木１１６の上端部に当接することによって、支柱１０４の軸方向における支柱挟持部１２の取付け位置が位置決めされる。巾木把持部２６の当接部材２８および転倒阻止部材３０と、支柱挟持部１２の基部材１６とで囲繞された部位には、足場用巾木１１６の上端部が嵌め込まれ、当該上端部が足場用巾木１１６の上面側から巾木把持部２６によって把持されるため、足場用巾木１１６は、図４，図５および図８に示すように、建枠１０２の横材１０６上に起立状態に支持される。
【００２７】
この場合、本実施形態例では、設置する足場用巾木１１６の高さに応じて、支柱挟持部１２を支柱１０４の軸方向の所定の位置に移動させて支柱挟持部１２の支柱１０４における位置決めを行うと同時に、巾木把持部２６で足場用巾木１１６の上端部を把持することができる。それによって、足場用巾木１１６は、至極簡単に、建枠１０２の横材１０６上に起立状態に支持される。
【００２８】
したがって、本実施形態例では、足場用巾木１１６を足場に取付ける場合に、従来のように、番線を何重にも巻き付ける面倒な作業を必要とせず、また、支柱１０４への取付け構造も複雑なものとはなっていない。そのため、たとえば図１に示したわく組足場１００への足場用巾木１１６の取付けおよび取外しが簡便なものとなる。延いては、わく組足場１００の組立てコストも従来よりも低く抑えることができる。さらに、本実施形態例にかかる取付け具１０は、部品点数も少ないため、従来技術のように部品点数が多いものに比べて、当該取付け具の製造コストも安くなる。
すなわち、本実施形態例にかかる取付け具１０によれば、足場板に何の加工も施すことなく、わく組足場等の仮設作業足場への取付け構造が簡単で、部品点数が少なく、当該足場への取付けおよび取外しも容易に行なえる取付け具１０を構成することができる。
なお、上述した実施形態例において、支柱挟持部１２および巾木把持部２６を山形鋼の廃材で製作するようにすれば、所謂、廃物利用ができ、当該支柱挟持部１２および巾木把持部２６の製作コストも安く付き、また、廃材のリサイクル活用が行え、延いては、地球環境の面においても貢献するものとなっている。
【００２９】
図９は、本願発明にかかる足場用巾木の取付け具の他の実施形態例を示す図解図であり、当該足場用取付け具によって、足場用巾木をわく組足場に取付けた状態を平面側から見た一部切欠き要部図解図である。
本実施形態例では、上述した実施形態例と比べて、特に、支柱挟持部１２に対する巾木把持部２６の接続位置が相違している。すなわち、図１〜図８に示す実施形態例では、巾木把持部２６の当接部材２８が、支柱挟持部１２の基部材１６の端部に接続されたが、図９に示す実施形態例では、巾木把持部２６の当接部材２８が、支柱挟持部１２の一方の挟持部材１８ａの端部に接続されている。なお、接続方法は、上述の実施形態例と同様に、溶接等の固着手段により接続・固着されている。図９に示す実施形態例では、保持手段のナット部材２２が、わく組足場１００の建物と反対側の位置（たとえば図１で見て、正面側）に向いて配置されるため、ボルト部材２４は当該建物と反対側の位置から取付けられるものとなっている。
このように、支柱挟持部１２に対する巾木把持部２６の接続位置は、支柱挟持部１２の基部材１６に限定されるものではなく、巾木把持部２６の当接部材２８は、支柱挟持部１２の基部材１６および一対の挟持部材１８ａ，１８ｂのいずれか１つの部材の端部に接続され得るものとなっている。この場合、支柱挟持部１２の基部材１６および一対の挟持部材１８ａ，１８ｂのいずれか１つの部材と、巾木把持部２６の当接部材２８と、転倒阻止部材３０とで囲繞された部位により、足場用巾木１１６の上端部が支持されるものとなっている。
【符号の説明】
【００３０】
１０  足場用巾木の取付け具
１２  支柱挟持部
１４  凹所
１６  基部材
１８ａ，１８ｂ  一対の挟持部材
２０  貫通孔
２２  ナット部材
２２ａ  ネジ孔
２４  ボルト部材
２４ａ  ネジ部
２６  巾木把持部
２８  当接部材
３０  転倒阻止部材
１００  わく組足場
１０２  建枠
１０４  支柱
１０６  横材
１０８  交さ筋かい
１０８ａ  斜材
１１０  足場板
１１２  手すり
１１４  さん
１１６  足場用巾木
【図１】
2010275809.tif 000003
【図２】
2010275809.tif 000004
【図３】
2010275809.tif 000005
【図４】
2010275809.tif 000006
【図５】
2010275809.tif 000007
【図６】
2010275809.tif 000008
【図７】
2010275809.tif 000009
【図８】
2010275809.tif 000010
【図９】
2010275809.tif 000011